(57)【要約】【課題】  圧損が小さく且つ少ない電力で、大きな信号を得ることができる電磁流量計を実現する。【解決手段】  測定流体が流れる測定管と励磁コイルと測定電極とを有する電磁流量計において、  内径の全ての箇所の断面積が等断面積にされると共に前記測定電極断面部において前記励磁コイルの軸方向の長さに対して前記測定電極の軸方向の長さが長くされた測定管を具備したことを特徴とする電磁流量計である。【選択図】                    図１
2005055276.tif 000002
【特許請求の範囲】
【請求項１】
測定流体が流れる測定管と励磁コイルと測定電極とを有する電磁流量計において、
内径の全ての箇所の断面積が等断面積にされると共に前記測定電極断面部において前記励磁コイルの軸方向の長さに対して前記測定電極の軸方向の長さが長くされた測定管
を具備したことを特徴とする電磁流量計。
【請求項２】
前記測定管の全ての断面が円形あるいは楕円形であること
を特徴とする請求項１記載の電磁流量計。
【請求項３】
非磁性材よりなる円形金属管の前記励磁コイル配置部分を押圧変形成形してなる測定管が使用されたこと
を特徴とする請求項１又は請求項２記載の電磁流量計。
【請求項４】
非磁性材よりなる鋳造の測定管が使用されたこと
を特徴とする請求項１又は請求項２記載の電磁流量計。
【請求項５】
前記測定管は非磁性のステンレス材よりなること
を特徴とする請求項３又は請求項４記載の電磁流量計。
【請求項６】
非磁性材よりなる樹脂による測定管が使用されたこと
を特徴とする請求項１又は請求項２記載の電磁流量計。
【発明の詳細な説明】
【技術分野】
【０００１】
本発明は、圧損が小さく且つ少ない電力で、大きな信号を得ることができる電磁流量計に関するものである。
【背景技術】
【０００２】
電磁流量計に関連する先行技術文献としては次のようなものがある。
【特許文献１】特開平４−２９５７２２
【０００３】
図４はこのような従来の電磁流量計の一例を示す要部構成説明図、図５は図４の側面図である。
図２において、測定管１は、入口２と出口３の断面形状が円形で、入口２と出口３との中間で絞られた長方形断面の部分４を有すると共に、その断面積が入口２から長方形断面の部分４まで漸減し、長方形断面の部分４から出口３まで漸増する流路５を形成し、かつ、長方形断面の対角線の長さＥが入口２と出口３の直径Ｄより小さく定められている。
ここで、点線ｄは配管接続部の断面を示す。
【０００４】
測定電極１１，１２は、長方形断面の部分４の短辺側に対向配置されている。
励磁コイル１３，１４は、長方形断面の部分４の長辺側に対向配置されている。
【０００５】
以上の構成において、測定管１に測定流体ＦＬが流され、励磁コイル１３，１４が励磁されて、測定電極１１，１２より測定信号が検出されて、測定流体ＦＬの流量が測定される。
【発明の開示】
【発明が解決しようとする課題】
【０００６】
しかしながら、このような装置においては、測定管１は、長方形断面の対角線の長さＥが入口２と出口３の直径Ｄより小さく定められているので、圧損が大きい問題点がある。
【０００７】
本発明の目的は、上記の課題を解決するもので、圧損が小さく且つ少ない電力で、大きな信号を得ることができる電磁流量計を提供することを目的とする。
【課題を解決するための手段】
【０００８】
このような課題を達成するために、本発明では、請求項１の電磁流量計においては、
測定流体が流れる測定管と励磁コイルと測定電極とを有する電磁流量計において、
内径の全ての箇所の断面積が等断面積にされると共に前記測定電極断面部において前記励磁コイルの軸方向の長さに対して前記測定電極の軸方向の長さが長くされた測定管を具備したことを特徴とする。
【０００９】
本発明の請求項２においては、請求項１記載の電磁流量計において、
前記測定管の全ての断面が円形あるいは楕円形であることを特徴とする。
【００１０】
本発明の請求項３においては、請求項１又は請求項２記載の電磁流量計において、
非磁性材よりなる円形金属管の前記励磁コイル配置部分を押圧変形成形してなる測定管が使用されたことを特徴とする。
【００１１】
本発明の請求項４においては、請求項１又は請求項２記載の電磁流量計において、
非磁性材よりなる鋳造の測定管が使用されたことを特徴とする。
【００１２】
本発明の請求項５においては、請求項３又は請求項４記載の電磁流量計において、
前記測定管は非磁性のステンレス材よりなることを特徴とする。
【００１３】
本発明の請求項６においては、請求項１記載の電磁流量計において、
非磁性材よりなる樹脂による測定管が使用されたことを特徴とする。
【発明の効果】
【００１４】
本発明の請求項１によれば、次のような効果がある。
少ない電力で大きな信号を得ることができる電磁流量計を実現しながら、全ての断面において、等断面積を持つことで、圧損を小さくすることができる電磁流量計が得られる。
【００１５】
本発明の請求項２によれば、次のような効果がある。
測定管の全ての断面が円形あるいは楕円形であるので、更に、圧損を小さくすることができる電磁流量計が得られる。
【００１６】
本発明の請求項３によれば、次のような効果がある。
非磁性材よりなる円形金属管の、励磁コイル配置部分を押圧変形成形してなる測定管が使用されたので、押圧変形成形すればよいので、製造設備が簡単となり、安価な電磁流量計が得られる。
【００１７】
本発明の請求項４によれば、次のような効果がある。
非磁性材よりなる鋳造の測定管が使用されたので、鋳造による形成は形状が比較的自由に得られるので、所要の形状の測定管が容易に得られる電磁流量計が得られる。
【００１８】
本発明の請求項５によれば、次のような効果がある。
測定管は非磁性のステンレス材よりなるので、腐食性の測定流体に容易に使用出来る電磁流量計が得られる。
【００１９】
本発明の請求項６によれば、次のような効果がある。
非磁性材よりなる樹脂による測定管が使用されたので、樹脂による測定管の成形は、比較的寸法精度良く成形出来るので、測定精度が向上された電磁流量計が得られる。
【発明を実施するための最良の形態】
【００２０】
以下本発明を図面を用いて詳細に説明する。
図１は本発明の一実施例の要部構成説明図、図２は図１の平面図、図３は図１の動作説明図である。
図において、図４と同一記号の構成は同一機能を表す。
以下、図４と相違部分のみ説明する。
【００２１】
測定管２１は、内径の全ての箇所の断面積が等断面積にされると共に、測定電極１１，１２の断面部において、励磁コイル１３，１４の軸方向の長さに対して、測定電極１１，１２の軸方向の長さが長くされている。
【００２２】
この場合は、図３に示す如く、測定管２１の全ての断面が円形あるいは楕円形である。
即ち、入り口２と出口３とは円形で、測定電極１１，１２の断面部は楕円形である。
【００２３】
いま、配管接続部の直径をａとし、電極部分のコイル軸方向長さをｂとし、電極部分の測定電極軸方向長さをｃとする。
ここで、点線ｆは配管接続部の断面を示す。
π（ａ／２）２  ＝π（ｂ・ｃ／４）    →  ａ２  ＝ｂ・ｃ
の関係が成立することが特徴となる。
【００２４】
一般に、電磁流量計の信号起電力Ｅは、Ｂ：中心磁束密度、ｖ：流速、Ｄ：電極部内径、ｋ：幾何学的な補正係数  としたときに
Ｅ＝  ｋ・Ｂ・ｖ・Ｄ
と表すことができる。
【００２５】
ここで、本発明では、Ｄを大きくし、コイル軸長を短くすることで、磁気損失で最も大きい空隙部の損失を小さくすることができるので、少ない電力で大きな信号を得ることができる電磁流量計を実現できる。
【００２６】
なお、測定管２１は、非磁性材よりなる円形金属管の、励磁コイル１３，１４の配置部分を押圧変形成形しても良い。
また、非磁性材よりなる鋳造の測定管２１が使用されても良い。
この場合は、非磁性のステンレス材よりなる。
【００２７】
また、非磁性材よりなる樹脂による測定管２１が使用されても良い。
樹脂材としては、たとえば、ポリプロピレンやＡＢＳ樹脂が使用される。
【００２８】
この結果、
少ない電力で大きな信号を得ることができる電磁流量計を実現しながら、全ての断面において、等断面積を持つことで、圧損を小さくすることができる電磁流量計が得られる。
【００２９】
測定管２１の全ての断面が円形あるいは楕円形であるので、更に、圧損を小さくすることができる電磁流量計が得られる。
【００３０】
非磁性材よりなる円形金属管の、励磁コイル配置部分を押圧変形成形してなる測定管が使用されれば、押圧変形成形すればよいので、製造設備が簡単となり、安価な電磁流量計が得られる。
【００３１】
非磁性材よりなる鋳造の測定管が使用されれば、鋳造による形成は形状が比較的自由に得られるので、所要の形状の測定管が容易に得られる電磁流量計が得られる。
【００３２】
測定管２１は非磁性のステンレス材よりなるので、腐食性の測定流体に容易に使用出来る電磁流量計が得られる。
【００３３】
非磁性材よりなる樹脂による測定管が使用されれば、樹脂による測定管の成形は、比較的寸法精度良く成形出来るので、測定精度が向上された電磁流量計が得られる。
【図面の簡単な説明】
【００３４】
【図１】本発明の一実施例の要部構成説明図である。
【図２】図１の平面図である。
【図３】図１の動作説明図である。
【図４】従来の電磁流量計の一例を示す要部構成説明図である。
【図５】図４の側面図である。
【符号の説明】
【００３５】
２      入口
３      出口
５      流路
１１    測定電極
１２    測定電極
１３    励磁コイル段
１４    励磁コイル
２１    測定管
ＦＬ    測定流体
ａ      配管接続部の直径
ｂ      電極部分のコイル軸方向長さ
ｃ      電極部分の測定電極軸方向長さ
ｄ      配管接続部の断面
ｆ      配管接続部の断面
【図１】
2005055276.tif 000003
【図２】
2005055276.tif 000004
【図３】
2005055276.tif 000005
【図４】
2005055276.tif 000006
【図５】
2005055276.tif 000007